(57)【要約】【課題】従来の信号伝送装置では多波長化や長距離伝送の実現が困難であった。【解決手段】無線基地局１０ａで受信した無線信号を周波数ｆ１に変換した後、光信号λ１ａに変換する。光信号λ１ａ，λ１ｂ，λ１ｃは同一波長帯λ１とし、これらの光信号を光カプラ２ａで合成し、分散して配置された光合波器１ｂを経由して幹線ファイバ１３に多重する。親局１４では各波長帯に光信号を分波し、Ｏ／Ｅ変換した後、フィルタ１７ａで互いに異なる周波数ｆ１，ｆ２，ｆ３に分離する。【選択図】  図１
2004364029.tif 000002
【特許請求の範囲】
【請求項１】
子局である複数の無線基地局が幹線光ファイバを介して親局と接続されてなる信号伝送装置において、
前記無線基地局は、複数の無線基地局と共に無線基地局群を作り、
１つの無線基地局群は、
複数の無線受信部と、
前記無線受信部で受信した無線信号を周波数変換する複数の周波数変換部と、
前記周波数変換部で周波数変換された出力信号を光信号に変換する複数の光信号変換部と、
前記複数の光信号変換部からの出力信号を合成する光カプラと、
前記光カプラの出力信号を幹線光ファイバに供給する合波器とを備え、
前記親局は、
前記幹線光ファイバを介して前記合波器から供給された光信号を分波する分波器と、
前記分波器と接続され、分波された光信号を電気信号に変換する光受信器と、
前記光受信器と接続され、変換された電気信号を互いに異なる周波数の電気信号に分離する分離手段とを備え、
前記１つの無線基地局群の各光信号変換部で変換される光信号の波長は互いに異なると共に前記合波器の光透過特性を考慮した１つの波長幅の中に含まれており、前記親局内の前記分離手段で分離された信号の各周波数は、前記無線基地局群の各周波数変換部で周波数変換された後の信号の周波数に対応することを特徴とする信号伝送装置。
【請求項２】
前記波長幅は、前記合波器における波長の透過域において、その透過損失変化が０．２ｄＢ／ｎｍ以下の領域を２ｎｍ以上有する幅であることを特徴とする請求項１記載の信号伝送装置。
【請求項３】
前記周波数変換部は、周波数シンセサイザを備えており、周波数変換を行うための基準信号が前記親局から供給されることを特徴とする請求項１記載の信号伝送装置。
【請求項４】
前記光信号変換部は、波長ロッカーを内蔵した半導体レーザモジュールを備えており、各光信号変換部で変換された後の光信号の波長は互いに０．２ｎｍ以上離れていることを特徴とする請求項１記載の信号伝送装置。
【請求項５】
前記親局には、同一波長帯域を分波する手段と、
各同一波長帯内で発生する光ビート雑音を検出し、前記光ビート雑音を発生させている光信号を特定する光ビート検出手段と、
前記特定された光信号の波長を制御して変化させる波長制御手段とを備え、前記波長制御手段は、各波長帯での光ビート雑音が所定のレベル以下になるまで波長を制御することを特徴とする請求項１記載の信号伝送装置。
【請求項６】
前記１つの無線基地局群を形成する複数の無線基地局は、前記光カプラの近傍に設置されていることを特徴とする請求項１記載の信号伝送装置。
【請求項７】
受信した無線信号を周波数変換する手段と、周波数変換された信号を光信号に変換する電気／光変換手段とを備えた複数の子局と、
各子局から出力された光信号を合成する光カプラと、
前記光カプラと接続され、前記光カプラから出力された光信号を幹線光ファイバに供給する合波器と、
前記幹線光ファイバを介して供給された光信号を分波する分波器と、分波された光信号を電気信号に変換する光／電気変換手段と、前記光／電気変換手段の出力信号をそれぞれ異なる周波数の信号に分離する分離手段とを備えた親局よりなり、
前記子局で光信号に変換された信号の波長は、子局どうし互いに異なり、かつ前記合波器の光透過特性を考慮した一つ波長幅の中に含まれており、前記分離手段で周波数分離される各信号の周波数は、各子局で周波数変換された後の信号の周波数に対応することを特徴とする信号伝送装置。
【請求項８】
幹線光ファイバを介して複数の子局から出力された信号を親局に伝送する信号伝送方法において、
前記子局は、受信した無線信号を周波数変換した後、光信号に変換し、
前記子局と接続された光カプラは、各子局から出力された光信号を合成し、
前記光カプラと接続された合波器は、前記光カプラから出力された光信号を前記幹線光ファイバに供給し、
前記親局は、前記合波器から前記幹線光ファイバを介して供給された光信号を分波し、分波された光信号を電気信号に変換し、変換された電気信号をそれぞれ異なる周波数の電気信号に周波数分離するものであって、
前記子局で光信号に変換された信号の波長は、子局どうし互いに異なり、かつ前記合波器の光透過特性を考慮した一つの波長幅の中に含まれており、前記親局で周波数分離される各信号の周波数は、各子局で周波数変換された後の信号の周波数に対応することを特徴とする信号伝送方法。
【発明の詳細な説明】
【０００１】
【発明の属する技術分野】
本発明は、幹線光ファイバを介して光アナログ伝送を行う信号伝送装置に関する。
【０００２】
【従来の技術】
情報の大容量化に伴い光ファイバを介した光伝送が益々脚光を浴びている。そしてユーザの増加や多種多様なサービスを効率的に実現するため各種の信号伝送装置が提案されている。
【０００３】
そのような例として、多数の無線周波数帯域の信号を多重化して光ファイバにより伝送を行う光伝送装置が知られている。（特許文献１参照）
図５は特許文献１に記載されている信号伝送部分を取り出して示したものである。
【０００４】
図５において、１０８は子局アンテナであり、これらの出力は光電変換器（Ｅ／Ｏ変換器）１０２ａ、１０２ｂ、１０３ａ、１０３ｂ、１０４ａ、１０４ｂによって電気信号から光信号に変換される。変換された光信号はそれぞれλ１〜λ６まで異なる波長であり、これらの光信号は光合波器１０１ａ、１０１ｂによって合波される。
【０００５】
各合波器によって合波された光信号は、光カプラ１００ａ、１００ｂにより幹線ファイバ１０９に結合され、図示しない親局に集められる。親局では、波長毎に光分波されて、電気光変換器（Ｏ／Ｅ変換器）により電気信号に変換され、アンテナ毎の電気信号を取り出すことができる。
【０００６】
ところで、従来の信号伝送装置では多重数を増すためには多くの波長が必要となり、光ファイバ、光カプラ、光合波器での損失が加算されるため、累積すると大きな光損失が生じる。多くの波長を使うという事は、光源の波長の精度ばかりでなく、光合波器の波長精度をも高める必要がある。しかも、光アナログ伝送においては、光合波器もしくは光分波器の波長特性の肩にかかる部分では歪が増大することが知られており、歪を抑えるためには波長特性が平らな部分に光源の波長を設定しなければならない。このため、１つの光信号が占有する波長帯域が広くなり、多波長化を行うときの大きな妨げとなっていた。
【０００７】
【特許文献１】
特開平６−１５２５３９号公報
【０００８】
【発明が解決しようとする課題】
従来の無線信号伝送装置では、大きな光損失が生じ、多波長化や長距離伝送の実現が困難であった。また、１つの光信号が占有する波長帯域が広いため、この面からも多波長化により多重数を増大することが困難であった。さらに、外気温変動が生じても光合波器の波長を高精度に保つ必要があるため、ペルチエクーラなどが必要となり、消費電力、コスト、大きさの面でも問題であった。
【０００９】
本発明は上記問題に鑑みてなされたもので、多重数が極めて多く取れ、小型かつ安価、低消費電力化が可能な信号伝送装置を提供するものである。
【００１０】
【課題を解決するための手段】
上記問題を解決するために本発明の信号伝送装置は、複数の無線基地局が幹線光ファイバを介して親局と接続されるものであって、複数の無線基地局とともに群を作り、１つの無線基地局群には、複数の無線受信部と、前記無線受信部の各々と接続され、受信した無線信号を周波数変換する複数の周波数変換部と、前記周波数変換部と接続され、周波数変換された出力信号を光信号に変換する複数の光信号変換部と、前記光信号変換手段からの出力信号を合成する光カプラと、前記光カプラの出力信号を幹線光ファイバに供給する合波器とをそれぞれ備えている。前記親局には、前記幹線光ファイバを介して前記合波器から供給された光信号を分波する分波器と、前記分波器と接続され、分波された光信号を電気信号に変換する光受信器と、前記光受信器と接続し、変換された電気信号をそれぞれ異なる周波数の電気信号に分離する分離手段とをそれぞれ備えている。そして、１つの無線基地局群の各光信号変換部で変換される光信号の波長は互いに異なると共に前記合波器の光透過特性を考慮した１つの波長幅の中に含まれており、前記親局内の前記分離手段で分離される信号の周波数は、前記無線基地局群の各周波数変換部で周波数変換された後の信号の周波数に対応することを特徴としている。
【００１１】
さらに、前述の合波器はその透過域において、波長による透過損失変化が０．２ｄＢ／ｎｍ以下の領域を２ｎｍ以上の波長幅を有するようにし、歪の抑制や波長精度の緩和を実現した。
【００１２】
また、前述した周波数変換手段として、それぞれの無線基地局内に周波数シンセサイザを設け、この周波数シンセサイザの基準信号は下りの回線を用いて親局から供給する構成としている。
【００１３】
さらに上述した光信号変換部では、それぞれ僅かながら異なる同一波長帯の光信号に変換する手段として波長ロッカーを内蔵した半導体レーザモジュールを用いて０．２ｎｍ以上異なる波長に設定してもよい。
【００１４】
前記親局には同一波長帯域を分波する手段と、各同一波長帯内で発生する光ビート雑音を検出し、前記光ビート雑音を発生させている光信号を特定する光ビート検出手段と、前記特定された光信号の波長を制御して変化させる波長制御手段とを備え、この波長制御手段は、各波長帯での光ビート雑音が所定のレベル以下になるまで波長を制御することで、同一波長帯の光信号に対して、光ビート雑音の発生を検知して、その影響を抑えるようにしている。
【００１５】
前記１つの無線基地局群を形成する複数の無線基地局は、前記光カプラの近傍に設置されていることを特徴としている。
【００１６】
本発明の信号伝送装置は、受信した無線信号を周波数変換する手段と、周波数変換された信号を光信号に変換する電気／光変換手段とを備えた複数の子局と、各子局から出力された光信号を合成する光カプラと、前記光カプラと接続され、前記光カプラから出力された光信号を幹線光ファイバに供給する合波器と、前記幹線光ファイバを介して供給された光信号を分波する分波器と、分波された光信号を電気信号に変換する光／電気変換手段と、前記光／電気変換手段の出力信号をそれぞれ異なる周波数の信号に分離する分離手段とを備えた親局よりなり、前記子局で光信号に変換された信号の波長は、子局どうし互いに異なり、かつ前記合波器の光透過特性を考慮した一つ波長幅の中に含まれており、前記分離手段で周波数分離される各信号の周波数は、各子局で周波数変換された後の信号の周波数に対応することを特徴としている。
【００１７】
本発明の信号伝送方法は、幹線光ファイバを介して複数の子局から出力された信号を親局に伝送する信号伝送方法であって、前記子局は、受信した無線信号を周波数変換した後、光信号に変換し、前記子局と接続された光カプラは、各子局から出力された光信号を合成し、前記光カプラと接続された合波器は、前記光カプラから出力された光信号を前記幹線光ファイバに供給し、前記親局は、前記合波器から前記幹線光ファイバを介して供給された光信号を分波し、分波された光信号を電気信号に変換し、変換された電気信号をそれぞれ異なる周波数の電気信号に周波数分離するものであり、前記子局で光信号に変換された信号の波長は、子局どうし互いに異なり、かつ前記合波器の光透過特性を考慮した一つの波長幅の中に含まれており、前記親局で周波数分離される各信号の周波数は、各子局で周波数変換された後の信号の周波数に対応することを特徴としている。
【００１８】
【発明の実施の形態】
以下に本発明の実施形態を詳細に説明する。
【００１９】
（第１の実施形態）
図１は本発明の第１の実施形態にかかる信号伝送装置の構造を表す。各子局のアンテナ９が受信した信号は周波数変換器１０ａ、１０ｂ、１１ａ、１１ｂ、１２ａ、１２ｂにより周波数変換される。ここで、１つの波長帯に入る信号はそれぞれ異なる周波数に変換される。すなわち、周波数変換器１０ａ、１１ａ、１２ａは入力された信号それぞれ互いに異なる周波数に変換する。周波数変換器１０ｂ、１１ｂ、１２ｂも入力される信号をそれぞれ異なる周波数に変換する。同様に、周波数変換器１０ａと１０ｂによって変換される周波数は同じ周波数であっても良く、異なる波長帯の間では周波数の再利用が可能である。図１では周波数変換器１０ａと１０ｂが周波数ｆ１、周波数変換器１１ａと１１ｂが周波数ｆ２、周波数変換器１２ａと１２ｂが周波数ｆ３に変換する例を示している。
【００２０】
周波数変換された信号は光電変換器（Ｅ／Ｏ変換器）３ａ、４ａ、５ａ、３ｂ、４ｂ、５ｂによって光信号に変換される。ここで、Ｅ／Ｏ変換器３ａ、４ａ、５ａはほぼλ１の波長に変換される。しかし、全く同じ波長に設定されると光のビートが生じ、大きな雑音になる。このため、少なくとも０．２ｎｍ以上波長が異なる必要がある。波長の表記λ１ａ、λ１ｂ、λ１ｃは僅かに異なるλ１帯の波長を表している。同様にλ２ａ、λ２ｂ、λ２ｃは僅かに異なるλ２帯の波長を表している。これらの波長の光信号は、λ１ａ、λ１ｂ、λ１ｃの光信号は支線ファイバ６ａ、７ａ、８ａを介して、λ２ａ、λ２ｂ、λ２ｃの光信号は支線ファイバ６ｂ、７ｂ、８ｂを介して光カプラ２ａと２ｂに供給され、光カプラ２ａと２ｂでλ１帯、λ２帯の波長帯にまとめる。このように波長帯は無線基地局群１８ａ、１８ｂごとに割当る。この光合成によりサブキャリア多重（ＳＣＭ）が行われたことになる。
【００２１】
サブキャリア多重された光信号は、光合波器１ａ、１ｂにより幹線光ファイバ１３に波長多重（ＷＤＭ）される。多重された光信号は親局１４に運ばれ、ここで光分波器１５により各波長帯、すなわち図１の例ではλ１帯、λ２帯に分波される。
【００２２】
各波長帯にサブキャリア多重された信号は、光受信器（フォトデテクター）で構成される電気光変換器（Ｏ／Ｅ変換器）１６ａ、１６ｂにより光電変換され、さらに、フィルタ１７ａ、１７ｂにより前述した周波数であるｆ１、ｆ２、ｆ３の各周波数に分波される。このようにすることにより、全体の多重数は、ＷＤＭの多重数とＳＣＭの多重数の積となり、極めて多くの多重数を実現することが可能となる。また、線路長が短い部分は光カプラによるＳＣＭ、線路長が長い幹線部分はＷＤＭとなるため、幹線部分は光カプラの損失が累積することなく、パワーバジェット的に有利である。例えば電車の線路や高速道路などに沿って幹線光ファイバを敷設する場合、従来の方法では幹線を経由する光カプラの数が膨大になり、その光カプラの数だけ損失が累積される。本発明では、幹線との結合部分には従来のように光カプラを使っていないので光カプラの損失が累積することがなく、長距離伝送に適している。
【００２３】
本発明による信号伝送装置の光源の波長配置と光合波器、光分波器の波長特性を図２に示す。
【００２４】
この図ではλ１帯、λ２帯、λ３帯と３つの波長帯を有し、それぞれの波長帯にａ，ｂ，ｃの３つの波長が入っている。これらａ，ｂ，ｃの波長は等間隔である必要はなく、光のビート雑音抑圧のため、少なくとも０．２ｎｍ以上波長が異なっていれば良い。
【００２５】
各子局の波長を高精度に固定するためには波長ロッカーを内蔵した半導体レーザモジュールを用い、０．２ｎｍ以上異なる波長に設定すれば良い。波長ロッカーとは、ファブリペロ共振器や誘電体多層膜のような波長基準となる光フィルタを備え、フィードバック制御により波長を安定化させたものである。
【００２６】
光アナログ伝送においては、光合波器もしくは光分波器の波長特性の肩にかかる部分では歪が増大する。一般的な光アナログ伝送において必要とされる歪量は−５０ｄＢ以下である。そこで−５０ｄＢ以下に抑える条件を考察する。
【００２７】
半導体レーザの直接変調では光スペクトルが±０．１ｎｍ程度の広がりを有する。このため波長特性に傾斜があると、半導体レーザの変調電流によりレーザの波長が変化し、光透過率が異なるところを透過することから歪が発生する。電気レベル−５０ｄＢ以下の歪にするためには、光レベルでは−２５ｄＢ以下の歪にする必要がある。これは光透過率で０．３２％の変動に当る。すなわち、０．１ｎｍの波長変動で透過率の変化を０．３２％以下とすれば良く、これはほぼ０．２ｄＢ／ｎｍの傾斜に相当する。
【００２８】
一方、光合波器や光分波器の温度依存性は、構造によって異なるが、石英を主体にして作られたものは０．０１ｎｍ／ｄｅｇ程度である。温度変動が最大±５０ｄｅｇであるとすれば、±０．５ｎｍの波長変動を有することになる。１つの波長帯に数波多重することを考えれば、多重のために少なくとも１ｎｍの波長幅が必要である。従って、温度変動分と合わせて、少なくとも２ｎｍの波長幅が必要となる。以上の考察より、光合波器もしくは光分波器の透過損失変化が０．２ｄＢ／ｎｍ以下の領域を２ｎｍ以上の波長幅で有することが必要となる。この波長幅内に設定すれば、通常想定される温度変動も考慮に入れているので、ペルチエクーラなどのような特別な構成を設けることなく従来に比して多くの多重数を実現できる。また小型化や低消費電力化、低コスト化にも寄与する。
【００２９】
（第２の実施形態）
図１に示した周波数変換器１０ａ、１０ｂ、１１ａ、１１ｂ、１２ａ、１２ｂは、通常、発振器、掛け算器、フィルタから構成されるが、異なる周波数に変換するためには発振器とフィルタがそれぞれ異なっている必要がある。周波数精度が高く、異なる周波数の発振器をそれぞれの子局に設置することはコストが高くなる。そこで、親局に基準信号の発振器を１台設け、下り線を用いて分配すると良い。図３はこのような例の下り回線の構成図である。
【００３０】
図３において、親局３０内には高精度な発振器３３が設置されている。一般的に、親局は屋内の空調設備が整っている部屋に設置されるので、発振周波数精度は極めて高く、信頼性も高められる。この発振器の発振周波数ｆ０は１０〜数１０ＭＨｚ程度にする。信号Ｓ１，Ｓ２の周波数は通常、発振周波数ｆ０より十分高く設定する。発振器の出力と信号Ｓ１，Ｓ２は加算器３２ａ、３２ｂにより足し合わされ、Ｅ／Ｏ変換器３４ａ、３４ｂによって、それぞれ波長λ１、λ２の光信号に変換される。これらの光信号は光合波器３５により合波され、１本の幹線光ファイバ３６によって伝送される。そして、光分波器３７ａ、３７ｂによりそれぞれ特定の波長λ１、λ２をドロップし、光カプラ３８ａ、３８ｂによりそれぞれの子局に分配する。子局ではＯ／Ｅ変換器３９ａ、３９ｂ、３９ｃ、３９ｄで入力された光信号が光電変換され、フィルタ４０ａ、４０ｂ、４０ｃ、４０ｄにより発振器の周波数ｆ０と信号Ｓ１，Ｓ２とに分離される。ｆ０の信号は周波数シンセサイザ（図示していない）に入力され、ここで所定の周波数を発生させ、上り信号の周波数変換に用いる。信号Ｓ１，Ｓ２はそのまま、或は周波数変換などの処理を行って、下り信号としてアンテナ４１ａ、４１ｂ、４１ｃ、４１ｄから放射する。この例ではアンテナ４１ａと４１ｂ、また、４１ｃと４１ｄは同じ信号を放射する。もしも異なる信号を放射する必要があれば、ＳＣＭなどを用いれば良く、周波数ｆ０の信号はこのような下り信号の周波数変換に用いても良い。また、図３は２波多重の例を示しているが、２波以上に多重することも可能である。
【００３１】
（第３の実施形態）
図４に第３の実施形態の構成を示す。本実施形態は、親局３０において、光ビート雑音を検出し、光ビート雑音の発生を抑圧する機能（以後、ビートキャンセラと称する）を備えることを特徴とする。
【００３２】
複数の子局５０ａ〜５０ｃからの光信号は同一波長帯であり、光カプラ２ａ，２ｂ，２ｃで光多重されて親局３０に伝送される。支線ファイバ３６ａ上には光合波器１ａが配置され、幹線ファイバ３６ｂから伝送されてくる他波長帯の光信号と多重される。親局３０では同一波長帯の光信号を光分波器１ｂで分波して、一括して、一つのフォトデテクターで構成されるＯ／Ｅ変換器１６で受信する。このとき、２つ以上の光信号の波長が０．２ｎｍ未満で接近していると、Ｏ／Ｅ変換器１６で受信した際に、光ビート雑音が１０ＧＨｚ帯以下の低域に発生する。この光ビート雑音が、各子局に配置されているサブキャリア周波数帯と重なると、伝送特性が著しく劣化し、無線基地局としての機能を損なうことになる。
【００３３】
光ビート雑音の発生を防ぐためには、前述した実施形態で用いた波長ロックを備えたレーザをＥ／Ｏ変換器５３に使用することも一つの手段であるが、本実施形態ではレーザに波長選択性を要求しないビートキャンセラ回路５１を用いる。ビートキャンセラ回路５１は、後述するような方法で１０ＧＨｚ帯以下の低域に発生したビート雑音を除去するための信号を子局に供給する。ビート雑音除去のための信号は、加算器３２により下り方向の信号と足し合わされ、図３に示した実施形態と同様、Ｅ／Ｏ変換器３４を介して光信号に変換された後、幹線光ファイバと支線ファイバによって子局である各無線基地局に伝送される。
【００３４】
上り方向に関しては、各子局５０ａ，５０ｂ，５０ｃにおいて、同一波長帯域内で子局毎に異なるように周波数配置したサブキャリア多重信号に、同じく子局毎に異なるよう周波数配置した監視信号を重畳して、親局３０に光伝送する。サブキャリア多重信号は、アンテナ５６で受信した無線信号をＲＦ回路５５で周波数変換して生成する。また、子局３０内には、例えば局部発振器５２を備えて、その出力信号を監視信号とする。その場合、局部発振器５２の周波数が子局３０毎に異なるように設定する。
【００３５】
親局３０では、光多重された同一波長帯の光信号を、Ｏ／Ｅ変換器１６で受信する。Ｏ／Ｅ変換器１６から出力された受信信号の一部を分岐して、ビートキャンセラ回路５１に入力する。ビートキャンセラ回路５１では、まず、サブキャリア多重信号の帯域を、ハイパスフィルタ（図示していない）で除去する。例えば、サブキャリア多重信号の帯域をＤＣ〜２ＧＨｚとすると、ハイパスフィルタのカットオフ周波数を２ＧＨｚ以上とすればよい。ビートキャンセラ回路５１では、ハイパスフィルタの出力を２乗検波し、その検波出力に含まれる信号の周波数をモニターする。その周波数成分をモニターすることで、光ビート雑音を発生させている子局５０を特定することができる。その原理を簡単に以下に示す。
【００３６】
光ビート雑音に関与している光信号は、以下の式（１）、（２）のように示される。
【００３７】
【数１】
2004364029.tif 000003
【００３８】
【数２】
2004364029.tif 000004
【００３９】
ｆａ（ｔ），  ｆｂ（ｔ）は、サブキャリア多重信号であり、ｆａ１（ｔ），  ｆｂ１（ｔ）は、監視信号である。ｆとｆ’は、光信号周波数、ｆａ’（ｔ）とｆｂ’（ｔ）は、波長チャープ成分、Ａ、φは、それぞれ光信号の振幅、光信号の初期位相である。
【００４０】
この２つの光信号を一つのフォトデテクターで受信すると、下記の式（３）、（４）のように表すことが可能となる。
【００４１】
【数３】
2004364029.tif 000005
【００４２】
【数４】
2004364029.tif 000006
【００４３】
上記から、受信信号Ｒ（ｔ）をハイパスフィルタに透過させて、光ビート成分のみを２乗検波すると、式（５）のように出力信号Ｒ’（ｔ）が得られる。
【００４４】
【数５】
2004364029.tif 000007
【００４５】
監視信号  ｆａ１，  ｆｂ１は、各子局５０に唯一に配置している。したがって、上記の受信信号Ｒ’（ｔ）周波数成分をモニターすることで、光ビート雑音に含まれている光信号を送信している子局５０を特定することが可能である。なお、子局間の光信号波長が離れると、Δｆが大きくなる。このΔｆが、ビートキャンセラ回路５１の帯域以上となれば、Ｒ’（ｔ）からはいずれの周波数成分も検出されず、光ビート雑音が発生していないことになる。
【００４６】
ビートキャンセラ回路は、検波信号Ｒ’（ｔ）から周波数成分を検知した場合、該当する子局５０を特定し、その子局５０に対して、送信している光信号の波長を変化させる遠隔制御を行う。Ｒ’（ｔ）に含まれる周波数成分がしきい値レベルになるまで、波長制御を行い光ビート雑音の発生を抑える。親局３０から子局５０への遠隔制御方法は、例えば、監視信号を加算器３２により下りリンクに重畳し、子局５０側のＯ／Ｅ変換器５４の出力から抽出して、波長制御部５７に制御信号を伝達するなどの手段がある。
【００４７】
サブキャリア多重信号の周波数成分でも光ビート雑音の有無を検知することは可能であるが、上りリンクの無線信号はバーストである。一方、監視信号は常に重畳させておくことで、光ビート雑音に関与している子局５０をより正確に判断することが可能である。
【００４８】
本実施形態によれば、波長多重光伝送において同一波長帯域内で光ビート雑音の影響を回避して、さらに波長多重することが可能であり、波長利用効率を飛躍的に高めることができる。つまり一つの親局でより多くの子局を収容することが可能となる。また、同一波長帯域のレーザを使用することが可能になり、各子局装置を同一構成にすることが可能となることから量産効果による低コスト化が提供できる。
【００４９】
【発明の効果】
以上詳述したように、本発明の信号伝送装置は、長距離伝送に適し、多重数を多く取れ、かつ小型、低消費電力化が可能である。
【図面の簡単な説明】
【図１】本発明による信号伝送装置の第１の実施形態を示す構造図。
【図２】本発明による信号伝送装置の波長配置を示す図。
【図３】本発明による信号伝送装置の第２の実施形態を示す構造図。
【図４】本発明による無線伝送装置の第３の実施形態を示す構造図。
【図５】従来の信号伝送装置の構造図。
【符号の説明】
１ａ、１ｂ・・・光合波器
２ａ、２ｂ・・・光カプラ
３ａ、４ａ、５ａ、３ｂ、４ｂ、５ｂ・・・Ｅ／Ｏ変換器
６ａ、６ｂ、７ａ、７ｂ、８ａ、８ｂ・・・支線ファイバ
９・・・アンテナ
１０ａ、１０ｂ、１１ａ、１１ｂ、１２ａ、１２ｂ・・・周波数変換器
１３・・・幹線光ファイバ
１４、３０・・・親局
１５・・・光分波器
１６ａ、１６ｂ・・・Ｏ／Ｅ変換器
１７ａ、１７ｂ・・・フィルタ
１８ａ、１８ｂ・・・無線基地局群
５０・・・子局
５１・・・ビートキャンセラ回路
５２・・・局部発振器
５３・・・子局Ｅ／Ｏ変換器
５４・・・子局Ｏ／Ｅ変換器
５５・・・ＲＦ回路
５６・・・アンテナ
５７・・・子局波長制御部
【図１】
2004364029.tif 000008
【図２】
2004364029.tif 000009
【図３】
2004364029.tif 000010
【図４】
2004364029.tif 000011
【図５】
2004364029.tif 000012